(57)【要約】  ユーザの操作に支障がでないような操作性の高い新たな電子楽譜装置を提供する。ディスプレイの表示領域を取り囲むフレーム部分にページめくりを行うためのページめくり操作部が各ディスプレイのフレームに少なくとも一つ設けられており、当該ページめくり操作部の各々は、ページめくりの方向が設定されており、ユーザに対してページめくり操作部であることを視認できるように、当該ページめくり操作部に対応するフレーム面に、当該ページめくり操作部のページめくりの方向が示されており、これにより、ユーザがページめくりを行う際にそのページめくりの方向に対応するページめくり操作部へと誘導するようにした、電子楽譜装置。
2017209201.tif 000002
【特許請求の範囲】
【請求項１】
２つのディスプレイユニットが開閉可能に接続された電子楽譜装置であって、
ディスプレイの表示領域を取り囲むフレーム部分にページめくりを行うためのページめくり操作部が各ディスプレイのフレームに少なくとも一つ設けられており、
当該ページめくり操作部の各々は、ページめくりの方向が設定されており、ユーザに対してページめくり操作部であることを視認できるように、当該ページめくり操作部に対応するフレーム面に、当該ページめくり操作部のページめくりの方向が示されており、これにより、ユーザがページめくりを行う際にそのページめくりの方向に対応するページめくり操作部へと誘導するようにした、電子楽譜装置。
【請求項２】
前記ページめくり操作部は、静電容量方式のスイッチ、機械的な電気接点式スイッチ、光センサ方式のスイッチ等の機械的または電気的スイッチから構成される、請求項１に記載の電子楽譜装置。
【請求項３】
前記ページめくり操作部のうち、ページを進めるページ送り用のページめくり操作部は、右ディスプレイパネルのフレームに設けられ、ページ戻し用のページめくり操作部は、左ディスプレイパネルのフレームに設けられている、請求項１または２に記載の電子楽譜装置。
【請求項４】
前記ページめくり操作部のうち、ページ送り用のページめくり操作部は、右ディスプレイパネルのフレームのうち開閉軸から遠い右側のフレームに設けられ、ページ戻し用のページめくり操作部は、右ディスプレイパネルのフレームのうちディスプレイの開閉軸から近い左側のフレーム、左ディスプレイパネルのフレームのうちディスプレイの開閉軸から近い右側のフレーム、および左ディスプレイパネルのフレームのうちディスプレイの開閉軸から遠い左側のフレームのうちの少なくともいずれかのフレームに設けられている、請求項１乃至３のいずれかに記載の電子楽譜装置。
【請求項５】
前記ページめくり操作部のうち、ページ送り用のページめくり操作部は、右ディスプレイパネルのフレームのうちディスプレイの開閉軸から近い左側のフレームに設けられている、請求項１乃至４のいずれかに記載の電子楽譜装置。
【請求項６】
前記ページめくり操作部のうち、ページ戻し用のページめくり操作部は、右ディスプレイパネルのフレームのうちディスプレイの開閉軸から遠い右側のフレームにも設けられている、請求項１乃至５のいずれかに記載の電子楽譜装置。
【請求項７】
左右のディスプレイパネル用に別々のカテゴリまたはパートの楽譜を受け付けるための選択画面が設けられ、左右のディスプレイパネルに別々のカテゴリまたはパートの楽譜が表示されるように構成された、請求項１乃至６のいずれかに記載の電子楽譜装置。
【請求項８】
ホーム画面には、種々の楽器用スコア、作曲家スコア、オーケストラ等のカテゴリスコア、からなるスコア選択メニューが表示されるようにした、請求項１乃至７のいずれかに記載の電子楽譜装置。
【請求項９】
左右のディスプレイパネル用に別々のカテゴリまたはパート種類を受け付けるための選択画面を選択すると、各ディスプレイパネルに、楽譜のカテゴリまたはパートを選択するためのメニューが表示されるように構成された、請求項１乃至８のいずれかに記載の電子楽譜装置。
【請求項１０】
楽譜を表示した際に、左右のディスプレイの少なくとも一方の楽譜の余白に、楽譜の拡大を受け付けるための楽譜表示ボタンが表示されるように構成された、請求項１乃至９のいずれかに記載の電子楽譜装置。
【請求項１１】
楽譜を表示した際に、左右のディスプレイの少なくとも一方の楽譜の余白の一部に、表示されている楽譜に対する操作を可能とする操作ボタンが表示されるように構成されている、請求項１乃至１０のいずれかに記載の電子楽譜装置。
【請求項１２】
複数の電子楽譜装置が相互に通信可能に構成され、単一または複数のグループにグループ化されて各グループごとに電子楽譜装置の間で手書き入力の情報が共有されるように構成されている、請求項１乃至１１のいずれかに記載の電子楽譜装置。
【発明の詳細な説明】
【技術分野】
【０００１】
本発明は、少なくとも２つのディスプレイを備えた電子楽譜装置に関する。
【背景技術】
【０００２】
楽曲制作のためのＤＡＷ（digital audio workstation）やそのためのアプリケーションを有するＰＣ（パーソナルコンピュータ）によって、楽曲を制作したり、楽譜（以下、「スコア(score)」ともいう）を作成することは広く行われている。【０００３】
マウスやキーボードの入力手段を利用するほか、ＰＣのディスプレイ自体から直接入力できるように、手書き入力可能なタッチパネルディスプレイを使用することも行われている。【０００４】
また、２つのディスプレイを有する電子楽譜装置も知られている。例えば、特許文献１（特開２００３−１０７９８６号公報）には、譜面台を象った２つの表示画面からなり、電子楽譜などの表示画像に自由に書き込みができる情報処理装置が開示されている。【０００５】
その情報処理装置では、操作ボタン群３０、４０がディスプレイ内に設けられている。操作ボタン群３０は、操作頁送り、頁戻し、頁の最初に戻る、楽譜の保存および他の楽譜を表示、といった楽譜操作や、手書き画像の消去、保存および各種設定、といった処理を指示するためのソフトウェアボタンであり、操作ボタン群４０は、動作モードの切り替えを指示するためのソフトウェアボタンである。【０００６】
また、その公報で開示した情報処理装置は、２つの表示画面を開閉可能に繋ぐヒンジ３０をその中心に有している。【０００７】
特許文献２（米国特許出願公開第２００５/０２０４８８９号明細書）には、２画面のタッチセンシティブディスプレイ１８を開示している。【０００８】
表示画面のサイズを大きくすると、装置全体として重くなり、価格も増してしまうばかりか、手での取り扱いの容易さや、運搬、そして譜面として使用する場合の譜面台に置くためのサイズ、そして強度などの各種要因によって、その大きさが制限されるために、その制限された表示画面で楽譜のための表示として利用可能な領域を効率的に利用することが求められる。【０００９】
特許文献３（特開２０１３−９７０２３号公報）には、２つの表示装置である第１表示部１１０及び第２表示部１２０と、画像の表示の書き換え操作、具体的には例えばページめくりの指示を入力可能な入力手段２００とを備えた表示装置を開示している。【００１０】
しかし、特許文献１によって開示された操作ボタン群３０や操作ボタン群４０は楽譜を表示可能な領域のうちの大きな部分を占有してしまうこととなる。しかも、操作ボタン群３０のどれがページ捲りの操作に使用されるかが咄嗟の判断ができず、瞬時に演奏が進む奏者の対応についていくことができない。楽譜を表示可能な領域を拡大するために、操作ボタン群のサイズを縮小すると、なお更、演奏者に対して取り扱いが難しい。【００１１】
さらに、両ディスプレイを左右に開閉可能にする従来のヒンジ機構Ｓは、表示画面から突出してしまっていることから閉じた際の装置が厚くなり、限られた譜面台の幅に置くには支障をきたし、その取り扱いが不便であった。また、ヒンジ機構Ｓとして装置の中央部分の大きな領域を占めることから、美観上も好ましくなく、また、中央部分領域の利便性を阻害してしまっていた。【００１２】
特許文献２では、図２から明らかなように、２画面のタッチセンシティブディスプレイ１８には開閉する機構がなく、開いた状態で、運搬等の取り扱いをおこなわなければならず、取り扱いが煩雑となる。また、特許文献２には、特許文献１と同様に、２画面のタッチセンシティブディスプレイ１８内に、ページめくりタッチスクリーンセンサ４８、４９を設けることで、ページめくりを可能としているために、楽譜の表示領域を占有してしまい、本来の楽譜自体のサイズを狭めてしまうことから、好ましくない。【００１３】
特許文献３では、足踏み形式の入力装置を表示装置と一体的に構成することで、ページめくりを可能とするものであるが、全体の構造が大きくなる。また、表示部１１０は、左画面１１０と右画面１２０からなる２つの表示画面からなっているが、特許文献２と同様に開閉可能とはなっておらず、運搬等の取り扱いに不便である。【００１４】
したがって、奏者の利便性を高めた新たな電子楽譜装置が求められていた。本願発明はかかる課題に着目してなされたものである。
【先行技術文献】
【特許文献】
【００１５】
【特許文献１】特開２００３―１０７９８６号公報
【特許文献２】米国特許出願公開第２００５/０２０４８８９号明細書
【特許文献３】特開２０１３−９７０２３号公報
【発明の概要】
【発明が解決しようとする課題】
【００１６】
本発明は、ユーザ、例えば演奏者が、即時に楽譜のページめくりを可能とし、演奏に支障がでないような操作性の高い新たな電子楽譜装置を提供することにある。【００１７】
さらに、本発明は、ユーザにとって電子楽譜装置の多様な使用方法を提供可能な電子楽譜装置を提供することを目的とするものである。【００１８】
さらに、本発明は、指揮者や先生等の指示を的確に楽譜に書く込むことができ、かつ奏者や教え子等にもその奏者や教え子等の固有の情報として伝達表示できる新たな電子楽譜装置を提供するものである。
【課題を解決するための手段】
【００１９】
上記目的を達成するため、本発明による電子楽譜装置は、ディスプレイの表示領域を取り囲むフレーム部分にページめくりを行うためのページめくり操作部が各ディスプレイのフレームに少なくとも一つ設けられており、当該ページめくり操作部の各々は、ページめくりの方向が設定されており、ユーザに対してページめくり操作部であることを視認できるように、当該ページめくり操作部に対応するフレーム面に、当該ページめくり操作部のページめくりの方向が示されており、これにより、ユーザがページめくりを行う際にそのページめくりの方向に対応するページめくり操作部へと誘導するように構成されている。【００２０】
上記ページめくり操作部は、静電容量方式のスイッチ、機械的な電気接点式スイッチ等、機械的または電気的スイッチから構成される。【００２１】
上記ページめくり操作部のうち、ページを進めるページ送り用のページめくり操作部は、右ディスプレイパネルのフレームに設け、ページ戻し用のページめくり操作部は、左ディスプレイパネルのフレームに設ける。【００２２】
また、上記ページめくり操作部のうち、ページ送り用のページめくり操作部は、右ディスプレイパネルのフレームのうち開閉軸から遠い右側のフレームに設けられ、ページ戻し用のページめくり操作部は、右ディスプレイパネルのフレームのうちディスプレイの開閉軸から近い左側のフレーム、左ディスプレイパネルのフレームのうちディスプレイの開閉軸から近い右側のフレーム、および左ディスプレイパネルのフレームのうちディスプレイの開閉軸から遠い左側のフレームのうちの少なくともいずれかのフレームに設けられている。【００２３】
また、上記ページめくり操作部のうち、ページ送り用のページめくり操作部は、右ディスプレイパネルのフレームのうちディスプレイの開閉軸から近い左側のフレームに設けられている。【００２４】
また、上記ページめくり操作部のうち、ページ戻し用のページめくり操作部は、右ディスプレイパネルのフレームのうちディスプレイの開閉軸から遠い右側のフレームにも設けられている。【００２５】
ホーム画面には、左右のディスプレイパネル用に別々のカテゴリまたはパートを受け付けるための選択画面が設けられ、左右のディスプレイパネルに別々なカテゴリまたはパートの楽譜が同時に表示されるように構成されている。【００２６】
ホーム画面には、種々の楽器用スコア、作曲家スコア、オーケストラ等のカテゴリスコア、からなる楽譜選択メニューが表示される。なお、ここでの楽譜（スコア）とは、ギターやベース用のタブラチュアスコアも含みうる。【００２７】
左右のディスプレイパネル用に別々のカテゴリまたはパート種類を受け付けるための選択画面を選択すると、各ディスプレイパネルに、楽譜のカテゴリまたはパートを選択するためのメニューが表示されるように構成されている。【００２８】
楽譜を表示した際に、左右のディスプレイの楽譜の余白の一部に、楽譜の拡大を受け付けるための楽譜表示ボタンが表示されるように構成されている。【００２９】
上記楽譜表示ボタンがタッチされると、拡大した楽譜が表示されるように構成されている。【００３０】
さらに、楽譜を表示した際に、左右のディスプレイの楽譜の余白の一部に、表示されている楽譜に対するさらなる操作を可能とする操作ボタンが表示されるように構成されている。【００３１】
上記操作ボタンがタッチされると、表示されたページのブックマークを行うか、すでに登録されたブックマークリストを表示するか、楽器リストを表示するか、その他の機能を選択するか、の少なくともいずれかを選択可能な選択メニューが表示されるように構成されている。【００３２】
また、上記操作ボタンがタッチされると、書き込むペン先の太さを選択するメニューと、書き込まれた情報の消しゴムボタン、が表示される。【００３３】
さらに、表示された楽譜に関連する音声データ用再生メニューが設けられている。
音声データの再生中は、現在再生している部分を含む楽譜が表示されるように構成されている。【００３４】
音声データの再生中を示すメニューによって、現在再生中の部分の楽譜がそのメニューで隠れることがない様に、再生中の楽譜の部分から上記メニューが他の箇所に移動するか、または再生中の楽譜の部分が音声データの再生中を示すメニューから隠れない部分に移動するように構成されている。【００３５】
音楽再生が可能な楽譜に対して、現在演奏中の段落であることを示す演奏指示がディスプレイ上に示されるように構成されている。【００３６】
さらに本発明による電子楽譜装置は、複数の電子楽譜装置が相互に通信可能に構成され、単一または複数のグループにグループ化されて各グループごとに電子楽譜装置の間で手書き入力の情報が共有されるように構成されている。
【図面の簡単な説明】
【００３７】
【図１Ａ】本発明の電子楽譜装置１の両ディスプレイユニットが略１８０度開いた状態の正面である。
【図１Ｂ】上記電子楽譜装置１を両ディスプレイユニットを閉じた状態の正面図である。
【図１Ｃ】図１Ｂの状態の電子楽譜装置１の底面図である。
【図２】電子楽譜装置１のホーム画面の例を示す。
【図３】電子楽譜装置１の図２のホーム画面で、各種類の楽譜のうちのピアノスコアを選択した場合の表示リストの例を示す。
【図４】電子楽譜装置１の図２のホーム画面で、２種類スコアの選択画面（Dual View)を選択した場合のスコア選択表示画面の例を示す。
【図５】図３の表示リストから、Notturno IIIを選択した場合のスコアの表示例を示す。
【図６】図５のNotturno IIIのスコアの表示を拡大した状態の表示例を示す。
【図７】図４の２種類スコアの選択画面の中で、同じ楽曲で、異なるパート（楽器種類）を選択した場合のディスプレイの例を示す。
【図８】図７との比較のために、図４の２種類スコアの選択画面のチェックを外した場合の、同曲のスコアの表示例を示す。
【図９】図５のディスプレイ中の操作ボタンAを押した場合のプロンプトの例を示す。
【図１０】図９のプロンプトのなかから、「ブックマークリストを表示」を選択した場合の表示例を示す。
【図１１】図５のディスプレイ中の操作ボタンBを押した場合の表示例を示す。
【図１２】図１１の表示例において、「楽曲の再生」を押した場合の第１の表示例を示す。
【図１３】図１１の表示例において、「楽曲の再生」を押した場合の第２の表示例を示す。
【図１４】手書き入力を行った場合の例を示す。
【図１５】電子楽譜装置１の機能ブロック図である。
【図１６】図１６は、本出願で開示した新たなヒンジを備えた電子楽譜装置の内部構造を示す図である。
【図１７】図１７は、図１６のヒンジの部分を拡大した斜視図である。
【図１８】図１８は、図１７のＡ−Ａ断面において、各部を垂直方向に展開した図である。
【図１９】図１９は、ヒンジを図１７のＡ−Ａ断面に対し垂直な方向から見た図である。
【図２０】図２０は、図１９において電子楽譜装置を閉じた場合のヒンジを示す図である。
【図２１】図２１は、ヒンジの部分を拡大した斜視図である。
【図２２】図２２は、図２１のＢ−Ｂ断面を示す図である。
【図２３】図２３は、第１の実施例によるヒンジについての図２１のＣ−Ｃ断面を示す図である。
【図２４】図２４は、第２の実施例によるヒンジの第１から第３のセクションの配置の一例を示す図である。
【図２５Ａ】図２５Ａは、第２の実施例によるヒンジについての図２４のＤ−Ｄ断面を示す図である。
【図２５Ｂ】図２５Ｂは、第２の実施例によるヒンジについての図２４のＥ−Ｅ断面を示す図である。
【図２６Ａ】図２６Ａは、第２の実施例によるヒンジ部分についての図２５Ａの変形例を示す図である。
【図２６Ｂ】図２６Ｂは、第２の実施例によるヒンジ部分についての図２５Ｂの変形例を示す図である。
【発明を実施するための形態】
【００３８】
以下、本発明の実施の形態を図面に基づいて説明する。
図１Ａ〜図１Ｃは、本発明の一実施形態にかかる電子楽譜装置１の外観図を示している。より具体的には、図１Ａは、電子楽譜装置１の第１のディスプレイユニットＤ１と第２のディスプレイユニットＤ２とが略１８０度開いた状態の正面図、図１Ｂは、両ディスプレイユニットＤ１、Ｄ２が閉じた状態の正面図、そして図１Ｃは、両ディスプレイユニットＤ１、Ｄ２が閉じた状態の底面図である。
【００３９】
第１のディスプレイユニットＤ１は、第１の表示部１１と、第１の表示部１１の裏面に設けられた第１の筐体部１３を有し、第２のディスプレイユニットＤ２は、第２の表示部１２と、第２の表示部１２の裏面に設けられた第２の筐体部１４を有する。電子楽譜装置１を閉じた状態においては、図１Ａの第１の表示部１１の表示画面１１ａと第２の表示部１２の表示画面１２ａとが向かい合う形態となる。
【００４０】
第１の表示部１１と第２の表示部１２とは長手方向に並び、ユーザは第１の表示部１１の表示画面と、第２の表示部１２の表示画面の２つの表示画面を同時に見ることができる。
【００４１】
図１５は、本発明の電子楽譜装置１の詳細な構成を示すブロック図である。
第１のディスプレイユニットＤ１は、第１の表示部１１のほか、第１の表示部１１の表示画面１１ａにタッチパネル機能を与えるタッチ入力部７を有する。一方、第２ディスプレイユニットＤ２は、第２の表示部１２のほか、制御部１０、電源部４、通信部５、オーディオ（音声）再生、録音部６、そして、第２の表示部１２にタッチパネル機能を与えるタッチ入力部８を有する。
【００４２】
第１の表示部１１は、表示画面１１ａと、そのフレーム１１ｂ、そして、そのフレーム１１ｂのいずれかの位置に設けられて、表示画面１１ａに表示する表示画像をめくるためのページめくり操作部１６（ページめくりの方向に応じて符号ａ、ｂを付加し、ページが進む方向のページ送りを１６ａ，ページを戻す方向のページ送りを１６ｂの符号を使用）を含む。他方、第２の表示部１２は、表示画面１２ａと、そのフレーム１２ｂ、そして、そのフレーム１２ｂの位置に設けられて、表示画面１２ａに表示する表示画像をめくるためのページめくり操作部１７（ページめくりの方向に応じて符号ａ、ｂを付加し、ページが進む方向のページ送りを１７ａ、ページを戻す方向のページ送りを１７ｂの符号を使用）を含む。
【００４３】
通信部５は、各種の有線及び／又は無線通信方式の少なくともいずれかを用いて、他の本発明による電子楽譜装置１やその他の外部装置と情報を送受信するように構成されている。
【００４４】
「外部装置」とは、電子楽譜装置１以外にも、スマートフォン、タブレットＰＣ等の携帯端末、コンピューターサーバ等を含みうる。
【００４５】
各種の有線及び／又は無線通信方式用のモジュールとして、外部とのインターネット接続や、セルラー通信、無線ＬＡＮ通信、近距離通信等をおこなうためのモジュールや、所定のコネクタを介して外部との通信をおこなうためのＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、有線ＬＡＮなどの有線通信モジュールを利用することができる。
【００４６】
近距離通信用のモジュールとして、ブルートゥース（登録商標）モジュールやＷｉ−Ｆｉモジュール、赤外線通信モジュールなどのいずれかを利用できるようにしてもよい。
【００４７】
電子楽譜装置１は、２つ以上の複数の電子楽譜装置１と通信できるようにすることが好ましく、ブルートゥースでは複数のチャネルを介して複数の電子楽譜装置１と接続可能なように構成することができる。
【００４８】
制御部１０には、ＣＰＵ（中央処理装置），不揮発及び／または揮発性のメモリ、第１の表示部１１および第２の表示部１２の画像表示を制御するためのＧＰＵ（Graphics Processing Unit）を含み、メモリに記憶されたアプリケーションプログラムに基づいて、通信部５や、オーディオ（音声）再生、録音部６、第１および第２の表示部１１、１２、タッチ入力部７、８、およびページめくり操作部１６、１７等のユニットとのデータ通信や制御を行う。
【００４９】
第１の表示部１１やタッチ入力部７、ページめくり操作部１６の機能を達成するための制御装置を除き、電子楽譜装置１全体を制御する多くの主要な電気的ユニットは、第２のディスプレイユニットに設けるようにして、第１および第２のディスプレイユニットＤ１，Ｄ２から入力された情報やそこに出力すべき情報は第２の両ディスプレイユニットＤ２側で集中的に制御し処理する。
【００５０】
つまり、第１のディスプレイユニットＤ１側での表示機能と、手書き入力機能、そしてページめくり機能等の、第１のディスプレイユニットＤ１側で必要な動作が可能な限りのなるべく少ない制御を行う電気的ハードウエア構成を第１のディスプレイユニットＤ１に設け、第２のディスプレイユニットＤ２側で両ディスプレイユニットＤ１、Ｄ２全体を制御できるように、主制御部となる制御部１０や他の必要なハードウェア構成を第２のディスプレイユニットＤ２側に持つようにすることで、第１のディスプレイユニットＤ１側に組み込まれた電子機器の重量を減らし、相対的に第２のディスプレイユニットＤ２の重量を増やすようにしている。これによって、ユーザにとって第１のディスプレイユニットＤ１の開閉を容易にしている。もちろん、その重量比をどのようにするかは、適宜決めることができ、その比に応じて、ハードウェア構成の配置構成を決めるようにしてもよい。例えば、後に内部構造例として図示して説明するが、主要な制御を行う主制御部３１（図１６）を第１のディスプレイユニットＤ１に設け、第１の表示部１１の表示画面の表示を制御するディスプレイコントローラからなる副制御部３２（図１６）を第２のディスプレイユニットＤ２に設け、主制御部３１が、第２の表示部を制御するとともに副制御部３２を制御するように構成することができる。
【００５１】
図１Ａを参照すると、ヒンジ２０によって両ディスプレイユニットＤ１、Ｄ２間が開閉可能に接続されている。後に詳細に説明するが、ヒンジ２０を構成するフレキシブルプリント基板（ＦＰＣ（ｆｌｅｘｉｂｌｅ  ｐｒｉｎｔｅｄ  ｃｉｒｃｕｉｔ））を両側から弾性体シート２１、２２のそれぞれによって挟み込むように、両ディスプレイユニットＤ１、Ｄ２の表示部側のフレームと、そのフレームと反対側の筐体部の間で、直接または間接的に挟まれており、強度を維持しつつ両ディスプレイユニットＤ１、Ｄ２が開閉可能なようにされている。
【００５２】
両ディスプレイユニットＤ１、Ｄ２中にＦＰＣを挟みこむ構造としたことで、従来の機械的なヒンジと比較して表示面からヒンジが突出せず、両ディスプレイユニットＤ１、Ｄ２のフレームの幅や表示画面自体をある程度確保することも可能となる。
【００５３】
また、本出願で開示した平らで屈曲可能なヒンジ２０を両ディスプレイユニットＤ１、Ｄ２間の接続に使用することで、ヒンジ部分が大きな領域を占有することもなく、ヒンジ部分の大きさによって電子楽譜装置１の厚さが制限されることもないために、ディスプレイユニットＤ２、Ｄ１の厚さもより小さくすることができることから、より薄い電子楽譜装置１を提供することができ、その結果、譜面台の楽譜を置く限られたレール幅内に収まることが可能となり、多少の衝撃でも電子楽譜装置１が譜面台から落ちることも無い。また、電子楽譜装置１を持つ際にも、手のひらでしっかりと支えることも可能となる。
【００５４】
しかも、両ディスプレイユニットＤ１、Ｄ２間で通信する電気的な信号本数が少なくなるように、右側のディスプレイユニットＤ２側に主な制御機能を持たせて、左側のディスプレイユニットＤ１には、その制御機能によって動作するようにしたことで、ヒンジ２０を構成するＦＰＣの配線幅も大きくできるために、破線することを防止でき開閉動作や開いて使用する際の耐久性を向上させることができる。
【００５５】
第２のディスプレイユニットＤ２の全体の重心の位置は、第２のディスプレイユニットＤ２の正面図の中心からヒンジ２０の方向で且つ下の方向にずれた位置となるように第２のディスプレイユニットＤ２内の部品配置が構成されている。例えば、第２のディスプレイユニットＤ２に組み込まれた電子部品である電源部４や、制御部１０、メモリ等の電気的構成部品の位置を調整して、全体の荷重中心が、ヒンジ側であって中央から下方向となるように配置されている。そして、上述したように、第１のディスプレイユニットＤ１は、第１のディスプレイユニットＤ２に対して軽くしているために、重心が大きくずれることがなく、電子楽譜装置１は、斜めに傾けられた譜面台にしっかりと置くことが可能となる。尚、電源部４は、外部からのＵＳＢ等のパワー端子から電力の供給を受けて蓄電するバッテリ３３（図１６）から構成することができる。
【００５６】
また、電子楽譜装置１を手で持つ場合でも、ヒンジに近い第１の筐体部１３と第２の筐体部１４の部分の下のほうで手の平と指先で安定して支えることができるために、合唱等で立って使用する場合も取り扱いが容易となる。
【００５７】
図１Ａを参照すると、両ディスプレイユニットＤ１、Ｄ２の表示部１１、１２のフレーム１１ｂ、１２ｂには、ページめくり操作部１６、１７が設けられている。ページめくり操作部の各々は、ページめくりの方向が設定されており、符号１７ａで示されたページめくり操作部１７は、ページを先に進めるようにユーザがタッチする操作部であり、符号１６ｂで示されたページめくり操作部１６は、ページを戻すようにユーザがタッチする操作部である。タッチする操作部１６、１７は、静電容量方式のスイッチ、機械的な電気接点式スイッチ、操作する指からの反射光を受けてその操作を検知する赤外線等の光センサを利用したスイッチ等、接触型、非接触型の機械的または電気的スイッチから構成することができる。
【００５８】
ユーザに対してページめくり操作部であることを視認できるようするとともに、どの方向へのページめくりかを瞬時にわかるように、各ページめくり操作部に対応するフレーム面に、当該ページめくり操作部のページめくりの方向が示されている。これによって、ユーザはページめくりを行う際にそのページめくりの方向に対応するページめくり操作部へと誘導される。
【００５９】
この例では、第２の表示部１２のフレーム１２ｂの外側のフレーム上（つまり、中心にあるヒンジ２０から遠い側のフレーム上）と、第２の表示部１２のフレーム１２ｂの内側のフレーム上（つまり、ヒンジ２０から近い側のフレーム上）には、左方向に矢印で示された指示標識が設けられており、これはページを進める方向のページめくり操作部１７ａであることを示している。他方、第１の表示部１１の外側のフレーム上（つまり、ヒンジ２０から遠い側のフレーム上）には、右方向に矢印で示された指示標識が設けられており、これはページを戻す方向のページめくり操作部１６ｂであることを示している。
【００６０】
以上のように単純な構成としては、右側のディスプレイユニットＤ２に設けられたページめくり操作部は、いわゆるページを進める方向のページめくり操作部１７ａとし、左側のディスプレイユニットＤ１に設けられたページめくり操作部は、いわゆるページを戻す方向のページめくり操作部１６ｂとして、ディスプレイの位置に応じてめくり方向を予め決めておくことで、ユーザのページめくりの間違いを防止できる。
【００６１】
ページめくりは、演奏を行う上での重要な動作である。また、奏者にとって、演奏中に通常行う操作が迅速に判断できることが必要であり、この直感的な指示を可能とするページめくりの操作部は非常に重要である。
【００６２】
よって、上記例では、演奏上の重要な操作として、ディスプレイ上ではなく、そのディスプレイのフレーム上にページめくり操作部１６、１７を設けることで、譜面の利用を確実なものとしている。さらに説明すると、特にバイオリン等の弦を利用する奏者によっては、弓に松脂を塗って使用するために、手の先が松脂によって汚れることも少なくない。このような油分を含んだ指でディスプレイ上に設けられたページめくり操作部へとアクセスすると、その表面が汚れて見えにくくなる危険もあるが、本例ではその問題も回避することができるのである。
【００６３】
オーケストラやピアノの連弾、あるいは練習などでは、２人で一つの楽譜を利用することが多い。このようなときに、譜面のめくり作業は通常どちらかが行うことになる。例えば、指揮者の背から見てオーケストラに対して向かって左側に位置するファースト・バイオリンでは、譜面台を面して左の奏者が譜面めくりを担当する。したがって、左の奏者にとってページめくり操作部が電子楽譜装置１の一番遠い右端にあると、隣の奏者に邪魔をしてしまう。
【００６４】
従って、その問題を回避するために、図１Ａのページめくり操作部の配置の代替例として、ページを前に進めるページ送りのためのページめくり操作部１６ａを第１のディスプレイユニットＤ１のうちの左側のフレーム１１ｂ（つまり、開閉軸となるヒンジ２０から遠い側のフレーム）及び／または右側のフレーム１１ｂ（つまり、開閉軸となるヒンジ２０から近い側のフレーム）に設けるようにしてもよい。また、第１のディスプレイユニットＤ１の右側のフレーム１１ｂ（つまり、開閉軸となるヒンジ２０から近い側のフレーム）にページ戻しのためのページめくり操作部１６ｂを設けるようにしてもよい。
【００６５】
一方、オーケストラに対して向かって右側に配置される弦楽器奏者では、譜面台を面して右の奏者が通常譜面めくりを担当する。したがって、ページめくり操作部が一番遠い左端にあると、隣の奏者に邪魔をしてしまう。
【００６６】
従って、その問題を回避するために、ページ戻しのためのページめくり操作部１７ｂを第２のディスプレイユニットＤ２の右側のフレーム１２ｂ（つまり、開閉軸となるヒンジ２０から遠い側のフレーム）及び／または第２のディスプレイユニットＤ２のフレームのうちの左右のいずれかの側のフレーム１２ｂに設けるようにしてもよい。
【００６７】
このように、隣り合う奏者が支障なく譜面めくりを行うことができるように、どのフレーム上のどの位置に、ページめくり操作部１６およびページめくり操作部１７を置き、どの方向へのページめくりに設定するかが決められる。
【００６８】
上記説明は一例であり、これに限定されるものではない。ディスプレイユニットＤ１の送り用の操作部１６ａと戻し用の操作部１６ｂの夫々の操作部や、ディスプレイユニットＤ２の送り用の操作部１７ａと戻し用の操作部１７ｂの夫々の操作部を、同じフレーム上に上下して置くようにしてもよい。どの方向用のページめくり操作部をどのフレームのどの位置に置くかは、使用の目的や使用環境に応じて、適宜選択しうる。
【００６９】
尚、本発明では、新たなヒンジ機構を採用したために、従来ヒンジを設けるために侵食されていた領域もタッチ入力可能なディスプレイの領域としても利用できる。従って、タッチ入力機能を有する第１および第２の表示画面１１ａ、１２ａのサイズをより大きく取れるようになるために、その大きく取れた領域をページめくり操作部として表示させてページめくりのユーザ入力として利用することもできる。
【００７０】
図２は、電子楽譜装置１に表示されるホームメニュー画面の一例である。
ホームメニュー画面１００には、使用履歴メニュー１０１、お気に入りメニュー１０２、各種楽器別スコアメニュー１０３、デュアル画面メニュー１０４、そして設定メニュー１０５が設けられている。
【００７１】
使用履歴メニュー１０１は、過去に使用したスコアの表示を示している。この例では、図示しないが、使用履歴メニュー１０１を手でタッチすると、そのメニューがハイライトし、第２の表示部１２の表示画面１２ａ（以下、単に「第２の表示部１２」ともいう）には、過去の使用した楽譜の名前がリストアップされる。楽譜のうちのどの箇所が最新として使用されたかは、電子楽譜装置１のメモリに情報として蓄えられており、楽譜をタッチすると、そのメモリ情報によって、最新の使用箇所のページを電子楽譜装置１は表示する。
【００７２】
お気に入りメニュー１０２においても同様である。お気に入りメニュー１０２を押すと、その部分がハイライトし、お気に入りとしてメモリに登録された情報をもとに、お気に入りリストが第２の表示部１２に表示される。お気に入りリストからスコアを選択すると、メモリに情報として蓄えられた最新の使用箇所のページの情報をもとに、電子楽譜装置１は最新使用箇所の部分の楽譜を表示する。
【００７３】
カテゴリ別スコアメニュー１０３には、例えば、ピアノスコア、作曲家スコア、ギタースコア、トランペットスコア、パーカッションスコア、オーケストラスコア等、別々のカテゴリスコアとして選択されるようになっている。
【００７４】
カテゴリ別スコアメニュー１０３に登録可能な楽譜は、電子楽譜装置１の通信部５によるネットワーク機能を使用して、楽譜データを格納している外部のサーバにアクセスし、そこからダウンロードすることが可能である。楽譜データには、紙媒体を単に電子化した楽譜のほか、楽譜の音符や音階、調、休符等の曲を構成する要素が音楽再生可能に電子化された音声データからなる楽譜をも含みうる。電子楽譜装置１は、オーディオ（音声）再生、録音部６を有し、さらに、スピーカまたはイヤフォンジャックを有してもよく音楽再生のために電子楽譜をデコーダして音声再生することも可能である。
【００７５】
図３は、電子楽譜装置１のホーム画面で、カテゴリ別スコアのなかからピアノを選択した場合の表示リストの例を示す。ピアノスコアをタッチすると、そのメニューがハイライトするとともに、第２の表示部１２にそのカテゴリのスコアリスト（曲目リスト）が表示され、タッチ入力によってユーザの選択を受けることができる。
【００７６】
デュアル画面メニュー１０４は、例えば、ピアノの連弾や、二人以上のものが異なったパート譜を利用する場合に効果を発揮する。
【００７７】
デュアル画面メニュー１０４を押すと、図４に示したように、初期設定の状態では、第１の表示部１１の表示画面１１ａ（以下、単に「第１の表示部１１」ともいう）と第２の表示部１２に同じメニュー画面が表示するようにしてもよく、第１の表示部１１と第２の表示部１２のそれぞれを利用するユーザがそれぞれの表示部１１、１２の選択メニューをタッチすることによって選択可能としている。
【００７８】
例えば、両表示部１１、１２ともに、各カテゴリのスコア選択メニューが表示されており、それぞれが自ら担当する楽器等のメニューを選択できる。なお、ここで楽器というときは、歌（ボーカル）を除外する意味ではない。
【００７９】
各カテゴリのスコア選択メニューから、異なった楽器を選択すると、ここでは図示しないが、各表示部１１、１２には、その選択した楽器用の楽譜リストがそれぞれ表示される。両表示部１１、１２に表示された楽譜リストから、弾きたい曲を選択すると、選択した各楽器用の楽譜が各表示部１１、１２に表示される。
【００８０】
図３の説明に戻ると、デュアル画面メニュー１０４を選択しないで、曲目リストのうちのいずれかをタッチ選択すると、第１の表示部１１と第２の表示部１２の両表示画面に、選択した曲の楽譜が表示される。
【００８１】
図５は、図３のスコアリストから、Notturno IIIを選択した場合の楽譜の表示例を示したものである。なお、選択した直後は、その曲名であるNotturno IIIと、作曲者であるＬｉｓzｔの表示が、楽譜のフロントページとして右側の第２の表示部１２に表示されるが、その図面は割愛し、図５は、その後にユーザがページ送りによって送った最初の楽譜ページを示したものである。
【００８２】
通常、楽譜は、左から右、そして次のページの左から右へと曲が進行するように譜面が作られている。したがって、本例でも、そのような楽譜の記載順序となっている。
【００８３】
楽譜を表示している第２の表示部１２には、楽譜の右端に、タッチ入力ボタンＡ、Ｂが表示されている。タッチ入力ボタンＡは、楽譜の大きさを拡大するためのボタンである。タッチ入力ボタンＡを押すと、第１の表示部１１、第２の表示部１２ともに表示画面１１ａ、表示画面１２ａの両幅一杯まで楽譜を表示するように拡大する。図６はその表示例を示している。タッチ入力ボタンＡはトグル形式のスイッチ用ボタンであり、ボタンＡを押すごとに元の大きさと拡大とが交互に行われる。
【００８４】
図３でデュアル画面メニュー１０４を押し、カテゴリ選択メニューから、２つの楽器を選択し、スコアリストの中から曲目をタッチにより指定すると、第１の表示部１１と第２の表示部１２には、該当する曲に対して、各パート用の楽譜が表示される。
【００８５】
図７は、デュアル画面メニュー１０４を選択し、カテゴリ選択メニューから歌（ボーカル）スコアと、ピアノスコアとを選択し、曲リストから「３６５日の紙飛行機」を選択した場合の例を示したものであり、第１の表示部１１にボーカル譜が、そして、第２の表示部１２にはピアノ譜が表示される。
【００８６】
もし各パート譜が電子楽譜装置１に保存されていない場合には、電子楽譜装置１の通信機能を使用して、外部サーバから該当する電子楽譜を入手するようにしてもよい。
【００８７】
また、先に説明したように、電子楽譜には、紙媒体を単に電子化した楽譜のほか、楽譜の音符や音階、調、休符等の構成要素が音楽再生可能に電子化された音声データからなる楽譜をも含みうる。したがって、音楽再生可能に電子化された音声データの場合には、電子楽譜装置１の処理装置、または電子楽譜装置１と通信可能な外部処理装置によって、ユーザが指定するパートに応じて第１の表示部１１と第２の表示部１２用の楽譜データを分割して、図７で示したような分割したパートごとのデータを第１の表示部１１、第２の表示部１２に楽譜表示するようにしてもよい。
【００８８】
図８は、図７との比較のために、デュアル画面メニュー１０４（図３）を選択しないモードでの楽譜表示例を示したものである。
【００８９】
図５の説明に戻ると、第２の表示部１２に示されたボタンＢを選択すると、図９に示したようなポップアップメニューが楽譜上に重ねて表示される。
【００９０】
ポップアップメニューの例として、その中には、次の選択メニューと、その選択メニュー以外に、手書き補助のための次のボタンが表示される。
【００９１】
（ポップアップ選択メニュー）
−このページのブックマーク
−楽譜リストを表示
−ブックマークリストを表示
−その他の機能
（ポップアップ手書き補助メニュー）
−ペン細
−ペン中
−ペン太
−消しゴム
【００９２】
ポップアップ選択メニューのうちの「このページのブックマーク」とは、現在表示されている楽譜のページをブックマークとして登録する選択メニューである。
【００９３】
「楽譜リストを表示」とは、カテゴリメニューですでに選択されたカテゴリに関する曲目リストを表示するものである。例えば、カテゴリメニューでピアノスコアを選択して、その中からある曲をスコアリスト（曲リスト）から選択したが、内容が高度であったため別な曲リストにしたい、といったような場合に便利である。
【００９４】
「ブックマークリストを表示」とはすでに登録したブックマークを表示するものである。例えば、図１０には、指定した曲目の楽譜中のいくつかの登録されたページをブックマークとして表示した例を示す。ブックマークリストを使用することで、瞬時に登録した箇所の楽譜部分を表示することができる。
【００９５】
ポップアップ手書き補助メニューのうちの「ペン細」とは、比較的細いペン先で書いたような手書き入力を行うようにしたものであり、「ペン中」は「ペン細」よりも太く、ペン太よりも細いペン先で書いたような手書き入力を行う。「消しゴム」は、指でタッチして指示した箇所が消しゴムのように消えるようにした機能である。
【００９６】
電子楽譜装置１は、音楽再生のためのデコーダ機能からなるオーディオ（音声）再生装置を有し、選択した楽譜の音声データを再生することが可能であるため、電子楽譜装置１には、画面上に楽譜の音声再生のためのボタンを新たに設けてもよい。または、図９のポップアップメニューの中の「その他の機能」として、オーディオ（音声）再生の選択を加えることもできる。例えば、図１１は、音声再生のためのポップアップメニューが画面上に表示された例を示している。
【００９７】
楽譜データを音声再生するための手法は、既知の多様なアプリケーションを利用することができる。例えば、音楽の演奏情報をデータ化し電子楽器やパソコンで再生できるようにしたＭＩＤＩを使用することできるが、これに限定されるものではない。MusicXMLや、WEDELMUSIC等の、多様な譜面出力形式のなかから選択して利用してもよく、必要なアプリケーションをプラグインして、MIDI形式やMusicXML形式で出力したり、あるいはそれらの形式の譜面データから音声再生するようにしてもよい。
【００９８】
電子楽譜装置１は、譜面の音をトランスポーズする機能も有しており、♯、♭ボタンにより、移調を行うことで、自分の適性にあった音域に変調したり、あるいは、移調楽器に対して移調した譜面で表示するなど、楽器の特性に応じた調に変換して、譜面自体を変換して表示したり、あるいは音声再生することも可能である。
【００９９】
楽器の再生ボタンを押すと、その設定された調で音声再生が行われる。尚、各楽譜要素への音声データにまで変換していない電子データ、例えば、紙媒体の楽譜を単に電子化した電子データに対しては、電子楽譜装置１の制御部１０は、楽譜データとその楽譜データの対応する音声データとを関連付けることで、選択した楽譜データを表示し、関連付けされた音声データを楽譜データと対応するデータとしてプレイヤとして再生することもできる。
【０１００】
図１２は、譜面を音声データ形式に変換して音声再生している一例を示している。電子楽譜装置１は、音声再生している箇所と譜面との関連付けを行うことで、ダイアログボックス中では、現在演奏している楽譜のページを幾分大きき表示しつつ、その前後のページの楽譜もユーザに参考として表示するとともに、全体の演奏時間のなかでどの時間に相当する箇所を演奏しているかを視覚的に認識できるようにしている。例えば、現在再生中の位置を示す横バーのボタンを設け、そのボタンを操作することで、再生する楽譜の箇所を変更できるようにしてもよい。
【０１０１】
図１３は、よりユーザの利便性を向上させるために、譜面の各行の頭に再生ボタンを付した例を示している。再生ボタンを押すと、再生ボタンがハイライトするとともに、その行の音声再生が行われる。これによって、譜面の希望する箇所の音声を確認することが可能となる。
【０１０２】
電子楽譜装置１は手書き入力可能なディスプレイユニットＤ１、Ｄ２から構成されているために、第１の表示部１１や第２の表示部１２の夫々の表示面から手書きを追加することが可能である。
【０１０３】
例えば、図１４は、デュアル画面メニュー１０４を選択し、別々な曲を第１の表示部１１と第２の表示部１２の各画面に表示した例を示している。このデュアル画面と手書き入力を利用することで、隣り合う奏者が自分の時間を利用して、別々の曲をさらうことが可能となる。例えば、演奏の合間に異なる部分や、別な曲をさらいながら、気づいた点を書き込むことができ、従来の紙媒体では得られない楽譜としての利便性が飛躍的に向上する。
【０１０４】
手書き入力データは、電子楽譜装置１の通信機能を利用して、複数のユーザに共有することができる。つまり、ここに表示された手書き入力は、自身が書き込んだデータ以外に、他の者が書き込んだデータをも表示可能である。
【０１０５】
例えば、オーケストラのメンバ用にグループ化して、そのメンバが利用する複数の電子楽譜装置１によって、データをシェアするようにしてもよい。また、さらに、各パート、例えば、第１バイオリン、第２バイオリン、チェロ、ビオラ、等でサブグループ化して、手書き入力がシェアするグループをサブグループ化するようにしてもよい。指揮者が全体に対して曲のイメージを伝達したいときには、指揮者が利用する電子楽譜装置１への手書き入力が、通信機能を利用して全員のメンバの電子楽譜装置１に反映させるようにしてもよく、あるいは一部のパートや、コンサートマスタなどのメンバ個人に反映させるようなグループ化も可能である。
【０１０６】
このようなグループ化およびサブグループ化による階層構造のグループ化や、部分的に一部のメンバーが重なり合うようなグループ化を形成することで、多様な用途と目的を反映した利用が可能となる。
【０１０７】
例えば、ピアノの教師からレッスンを受ける複数の教え子に対して、今日練習する曲の重要な点を手書き入力することで、通信部５の通信機能を使用して教え子達に知らせることもできる。また、教え子のレベルに応じてグループを階層化させることで、演奏レベルの高い教え子と、まだ初心者の教え子達に伝える内容を違えて手書き入力によって、教えることもできる。
【０１０８】
また、自分が書き込んだデータと他の者が書いたデータとを選択表示できるようにしてもよく、これは、例えば、データをレイヤー化することで可能となるが、この方法には限定されない。
【０１０９】
なお、ここでは図示しないが、データの追加とは逆に一部の譜面を視覚的に消すメニューも用意されている。例えば、教え子を教えている途中に、教師が自らの電子楽譜装置１を使って譜面の一部を隠す処理を行うことで、教え子の利用する電子楽譜装置１から表示される譜面の一部を通信手段を介して消すことも可能である。教え子が譜面に見入ることばかりに専念してしまっているような場合に、曲を覚えさせることや、譜面をなぞるばかりではなく音楽を演奏することの重要性を認識させることに効果がある。また、教え子自体も、自身の利用する電子楽譜装置１から、譜面の一部を消して練習することで、次第に全体の曲を暗譜で演奏できるようになる。
【０１１０】
電子楽譜装置１は、ブルーツース等の通信機能を利用して、スマートフォン等の携帯端末と連携して利用することも可能である。例えば、携帯端末に、ページめくり用の機能を有するアプリケーションをダウンロードして実行し、その携帯端末の画面から電子楽譜装置１の譜面のページ送りやページ戻しをおこなうようにすることが可能である。
【０１１１】
ここでは図示しないが、ページの早送り機能を追加するようにしてもよい。例えば、図１２の音声再生のポップアップメニューと同様の表示で、現在開いているページを若干大きめに表示するとともに、その前後のページを隣り合うように表示し、現在の表示位置を示す横バーのボタンを移動操作することで、ページの早送りや早戻しを行うように構成しても良い。
【０１１２】
（実施例１）
以下、本出願で開示したヒンジ２０の具体的な利用形態による電子楽譜装置を実施例として説明する。
【０１１３】
図１６は、ヒンジ２０を備えた電子楽譜装置１の内部構造を示す図である。第２の筐体部１４には、電子楽譜装置１全体を制御する主制御部３１及び主制御部３１に電力を供給するバッテリー部３３が取り付けられる。第１の筐体部１３には、第１の表示部１１を制御する副制御部３２が取り付けられる。主制御部３１は、第２の表示部１２を制御するとともに、副制御部３２を制御する。副制御部３２及び主制御部３１は、プリント基板３０により接続される。
【０１１４】
電子楽譜装置１の第２の表示部１２及び第２の筐体部１４を含む側の第２のディスプレイユニットＤ２を親機３４、電子楽譜装置１の第１の表示部１１及び第１の筐体部１３を含む側の第１のディスプレイユニットＤ１を子機３５とすると、主制御部３１を含む親機３４により、子機３５を制御することができる。例えば、子機３５側の表示画面１１ａに表示すべきコンテンツを親機３４側の主制御部３１で制御することができる。これにより、親機３４と子機３５のそれぞれに、バッテリー部３３や主制御部３１を重複して設ける必要がなくなり、電子楽譜装置１全体の重量の軽減や電子楽譜装置１全体の厚みの減少が可能となる。また、親機３４又は子機３５のいずれに主制御部３１、副制御部３２、バッテリー部３３等のデバイスを配置するかは、電子楽譜装置１の目的に応じて任意に変更可能である。
【０１１５】
プリント基板３０は、柔軟性を有するプリント基板からなり、好ましくは、フレキシブルプリント基板（ＦＰＣ：ｆｌｅｘｉｂｌｅ  ｐｒｉｎｔｅｄ  ｃｉｒｃｕｉｔ）から成る。プリント基板３０は、フレキシブルプリント基板に限られず、柔軟性のある基板であればよい。プリント基板３０は、帯状又はシート状であり、３６０°自由に曲げることが可能である。また、プリント基板３０は、ヒンジ２０を介して第１の筐体部１３側から第２の筐体部１４側にわたって延在している。これにより、プリント基板３０は、第１の筐体部１３の副制御部３２と、第２の筐体部１４の主制御部３１とを接続する。図１６においては、プリント基板３０は、ヒンジ２０の一箇所でヒンジ２０と交差しているが、これに限られず、プリント基板３０がヒンジ２０の複数の箇所でヒンジ２０と交差するようにしてもよい。
【０１１６】
図１７は、本出願で開示した新たなヒンジ２０の部分を拡大した斜視図である。ヒンジ２０は、第１の表示部１１と第１の筐体部１３に挟まれた部分及び第２の表示部１２と第２の筐体部１４に挟まれた部分、並びに外部に露出している部分から成る。外部に露出している部分の幅Ｗは、好ましくは、例えば３．３ｍｍであるが、第１の表示部１１と第１の筐体部１３とを重ね合わせたときの厚み、又は、第２の表示部１２と第２の筐体部１４を重ね合わせたときの厚みに応じて、例えば、１．０ｍｍから２０ｍｍの間であってもよい。
【０１１７】
図１７に示すように、ヒンジ２０の外部に露出している部分の幅Ｗは、第１の表示部１１又は第２の表示部１２の縁部（フレーム）、即ち、表示画面１１ａ又は１１ｂ以外の部分の幅よりも小さいことが望ましい。好ましくは、幅Ｗは、各表示部１１、１２の縁部の幅の３分の１から４分の１以下であり、電子楽譜装置１の開閉が可能である限り、５分の１以下であってもよい。反対に、電子楽譜装置１の表示部１１、１２の縁部の幅が小さい場合等には、幅Ｗが表示部１１、１２の縁部の幅よりも大きくなってもよい。ヒンジ２０の外部に露出している部分の幅Ｗを小さくするほど、第１の表示部１１の表示画面１１ａと、第２の表示部１２の表示画面１１ｂとの間の距離が短くなり、ユーザが表示画面１１ａと表示画面１１ｂとを同時に見る際に、視線を移動させる距離が短くなり、視認性が向上する。
【０１１８】
図１８は、図１７のＡ−Ａ断面において、各部を垂直方向に展開した図である。電子楽譜装置１を組み立てた状態では、各部が接続しているが、説明のため、図１８では各部を浮き上がらせている。図１８に示すように、ヒンジ２０は、第１の弾性体シート２１及び第２の弾性体シート２２を含む。第１の弾性体シート２１と第２の弾性体シート２２の間には、プリント基板３０が設けられる。第１の弾性体シート２１は、電子楽譜装置１の第１の表示部１１と第１の筐体部１３とを接続し、第２の弾性体シート２２は、電子楽譜装置１の第２の表示部１２と第２の筐体部１４とを接続する。
【０１１９】
図１８に示されるように、プリント基板３０は、第１の筐体部１３又は第２の筐体部１４の内部において、一直線上ではなく、内部の形状に応じて上下に曲げて配置することができる。図１８の例では、プリント基板３０は、第１の筐体部１３及び第２の筐体部１４の比較的端の部分でヒンジ２０と交差しているが、プリント基板３０がヒンジ２０のどの部分でヒンジ２０と交差するかはこれに限定されるものではない。
【０１２０】
第１の弾性体シート２１及び第２の弾性体シート２２は、帯状又はシート状であり、柔軟性を有し、３６０°自由に曲げることが可能である。第１の弾性体シート２１及び第２の弾性体シート２２は、好ましくはゴムから成るが、他のエラストマー素材であってもよい。また、柔軟性のある素材であれば、ゴム以外の他の素材であってもよい。
【０１２１】
ヒンジ２０にゴム等の弾性体シートを用いることにより、曲げ伸ばしの自由度が増し、電子楽譜装置１の繰り返しの開閉に対する耐久性も確保することができる。第１の弾性体シート２１及び第２の弾性体シート２２は、電子楽譜装置１が１８０°開いた状態において、曲がりがなく、フラットな平面を構成することが望ましい。電子楽譜装置１が１８０°開いた状態において、無駄な張力が加わることがないようにすることで耐久性をより向上することができる。また、電子楽譜装置１が１８０°開いた状態において、第１の弾性体シート２１及び第２の弾性体シート２２がフラットな状態となることで、視界を妨げず、表示画面１１ａ、１１ｂの一体感を生み、視認性の向上も期待できる。
【０１２２】
図１９は、ヒンジを図１７のＡ−Ａ断面に対し垂直な方向から見た図である。図１７のように電子楽譜装置１を１８０°開いた状態では、第１の表示部１１の表示面と第２の表示部１２の表示面とが、フラットな状態、即ち、同一平面上になるようにすることができる。第１の表示部１１の表示面と第２の表示部１２の表示面とが同一平面上になる状態においては、ヒンジ２０は、好ましくは、少なくともヒンジ２０の露出部Ｐにおいて、フラットな状態、即ち、１８０°開いた平面状になり、第１の表示部１１の表示面と第２の表示部１２の表示面とを含む同一平面と、ヒンジ２０の上記１８０°開いた平面とが実質的に平行になる。また、このヒンジ２０が１８０°開いた状態において、第１の弾性体シート２１、第２の弾性体シート２２及びプリント基板３０も、好ましくは実質的に平行になる。
【０１２３】
電子楽譜装置１が１８０°より大きく開かない構成とする場合には、図１９に示されるように、第１の筐体部１３から第２の筐体部１４へ向かう方向に、第１の筐体部１３から突出する第１の支持部１３ａを設け、第２の筐体部１４から第１の筐体部１３へ向かう方向に、第２の筐体部１４から突出する第２の支持部１４ａを設けるようにしてもよい。電子楽譜装置が１８０°開いた状態において、第１の支持部１３ａと第２の支持部１４ａとが接触するようにすることにより、電子楽譜装置１が１８０°より大きく開かないようにすることができる。図１９においては、電子楽譜装置１が１８０°より大きく開かないようにするための第１の支持部１３ａ及び第２の支持部１４ａの一例を示したが、これに限定されない。第１の支持部１３ａ及び第２の支持部１４ａの形状を変更することで、電子楽譜装置１が、例えば２７０°等、任意の角度まで開くようにしてもよい。
【０１２４】
更に、第１の支持部１３ａ及び第２の支持部１４ａを設けないことにより、電子楽譜装置１が実質的に３６０°開くようにしてもよい。即ち、ヒンジ２０を第１の筐体部１３又は第２の筐体部１４がヒンジ２０を中心に実質的に３６０°回動可能なようにしてもよい。
【０１２５】
また、図１９においては、例示として、第１の表示部１１又は第２の表示部１２の厚みよりも、第１の筐体部１３又は第２の筐体部１４の厚みの方が大きい場合を示しているが、これに限られない。第１の表示部１１又は第２の表示部１２の厚みと、第１の筐体部１３又は第２の筐体部１４の厚みとが同一でもよいし、第１の表示部１１又は第２の表示部１２の厚みよりも、第１の筐体部１３又は第２の筐体部１４の厚みの方が小さくてもよい。電子楽譜装置１の設計変更により、表示部１１、１２又は筐体部１３、１４の厚みが変更された場合であっても、ヒンジ２０が第１及び第２の弾性体シート２１、２２により構成されているため、第１及び第２の弾性体シート２１、２２の伸縮により、厚みの変更に対応することが可能である。
【０１２６】
図２０は、図１９において電子楽譜装置１を閉じた場合のヒンジ２０を示す図である。電子楽譜装置１を閉じた状態では、ヒンジ２０の露出部Ｐにおいて、第１の弾性体シート２１、第２の弾性体シート２２及びプリント基板３０はいずれも湾曲する。電子楽譜装置１を閉じた状態で、図２０のような湾曲が可能となるように、第１の弾性体シート２１及び第２の弾性体シート２２と、プリント基板３０との間には隙間が設けられる。この際、第１の弾性体シート２１とプリント基板３０との隙間の幅と、第２の弾性体シート２２とプリント基板３０との隙間の幅は必ずしも一定ではなく、一方の幅が他方の幅より大きくてもよい。このような隙間を設けることにより、プリント基板３０が自由に動けるようになり、プリント基板３０が無理な曲がり方をしないようにすることができる。
【０１２７】
図２１は、ヒンジの部分を拡大した斜視図である。図２１は、電子楽譜装置１を１８０°開いた状態を示し、第１の表示部１１の表示面と第２の表示部１２の表示面とが、フラットな状態、即ち、同一平面上になった状態を示している。
【０１２８】
図２２は、図２１のＢ−Ｂ断面を示す図である。Ｂ−Ｂ断面においては、第２の筐体部１４側において、ヒンジ２０の第２の弾性体シート２２が、第１の弾性体シート２１よりも長く延在し、プリント基板３０は、第２の筐体部１４側の第２の弾性体シート２２の端部４１において、接着部材４０により第２の筐体部１４に固定される。また、第１の筐体部１３側には、プリント基板３０が動くための空間５０及びプリント基板３０の余長部分が設けられる。このように、プリント基板３０の片側のみを固定することにより、プリント基板３０が動く側を明確にし、プリント基板３０の伸縮を制御しやすくなる。接着部材４０は、好ましくは両面テープであるが、これに限られず、接着力を有する任意の接着剤又は接着層であってもよい。
【０１２９】
図２３は、図２１のＣ−Ｃ断面を示す図である。Ｃ−Ｃ断面において、ヒンジ２０の第１の表示部１１側の第１の弾性体シート２１は、接着部材４０により第１の表示部１１に固定され、ヒンジ２０の第１の筐体部１３側の第２の弾性体シート２２は、接着部材４０により第１の筐体部１３に固定される。更に、Ｃ−Ｃ断面において、第１の表示部１１に固定された第１の弾性体シート２１と、第１の筐体部１３に固定された第２の弾性体シート２２とが、接着部材４０により固定される。
【０１３０】
同様に、Ｃ−Ｃ断面において、ヒンジ２０の第２の表示部１２側の第１の弾性体シート２１は、接着部材４０により第２の表示部１２に固定され、ヒンジ２０の第２の筐体部１４側の第２の弾性体シート２２は、接着部材４０により第２の筐体部１４に固定される。更に、Ｃ−Ｃ断面において、第２の表示部１２に固定された第１の弾性体シート２１と、第２の筐体部１４に固定された第２の弾性体シート２２とが、接着部材４０により固定される。第１の弾性体シート２１と第２の弾性体シート２２との間には空間６０が設けられる。空間６０は、少なくともプリント基板３０の厚みよりも大きい幅を有する。
【０１３１】
（実施例２）
ヒンジ２０の別な実施形態である第２の実施例による電子楽譜装置１は、少なくとも第１の表示部１１及び第２の表示部１２と、少なくとも第１の筐体部１３及び第２の筐体部１４を有する点では、第１の実施例と同一である。第２の実施例が第１の実施例と異なる点は、ヒンジ２０が、少なくとも１つ以上の第１のセクション２０ａと、少なくとも１つ以上の第２のセクション２０ｂと、少なくとも１つ以上の第３のセクション２０ｃとを有する点である。以下、第２の実施例において、第１の実施例と同一の点については説明を省略する。
【０１３２】
第２の実施例において、ヒンジ２０の第１のセクション２０ａは、第１の表示部１１と第２の表示部１２とを接続する第１の弾性体シート２１と、第１の筐体部１３と第２の筐体部１４とを接続する第２の弾性体シートと、第１の弾性体シート２１と第２の弾性体シート２２の間に設けられたプリント基板３０とを備える。ヒンジ２０の第２のセクション２０ｂは、第１の表示部１１と第２の筐体部１４とを接続する第３の弾性体シート２３を備え、ヒンジ２０の第３のセクション２０ｃは、第１の筐体部１３と第２の表示部１２とを接続する第４の弾性体シートを備える。
【０１３３】
図２４は、第２の実施例によるヒンジ２０の第１から第３のセクション２０ａ、２０ｂ、２０ｃの配置の一例を示す図である。ヒンジ２０の第１のセクション２０ａ以外の部分については、好ましくは、第２のセクション２０ｂと第３のセクション２０ｃとがヒンジ２０の長手方向に交互に配置される。
【０１３４】
図２５Ａは、第２の実施例によるヒンジについての図２４のＤ−Ｄ断面を示す図であり、図２５Ｂは、第２の実施例によるヒンジについての図２４のＥ−Ｅ断面を示す図である。図２４のＤ−Ｄ断面は、ヒンジ２０の第２のセクション２０ｂに位置し、図２４のＥ−Ｅ断面は、ヒンジ２０の第３のセクション２０ｂに位置する。
【０１３５】
図２５Ａに示されるように、Ｄ−Ｄ断面において、ヒンジ２０の第１の表示部１１側の第３の弾性体シート２３は、接着部材４０により第１の表示部１１に固定され、ヒンジ２０の第２の筐体部１４側の第３の弾性体シート２３は、接着部材４０により第２の筐体部１４に固定される。
【０１３６】
また、図２５Ｂに示されるように、Ｅ−Ｅ断面において、ヒンジ２０の第１の筐体部１３側の第４の弾性体シート２４は、接着部材４０により第１の筐体部１３に固定され、ヒンジ２０の第１の表示部１２側の第４の弾性体シート２４は、接着部材４０により第２の表示部１２に固定される。
【０１３７】
ここで、図２６Ａ及び図２６Ｂは、第２の実施例によるヒンジ部分についての図２５Ａ及び図２５Ｂの変形例を示す図である。図２６Ａ及び図２６Ｂに示すように、第３の弾性体シート２３’及び第４の弾性体シート２４’を二重に設けるようにしてもよい。また、第３の弾性体シート２３’及び第４の弾性体シート２４’は２つに限られず、３つ以上の複数の第３の弾性体シート２３’及び第４の弾性体シート２４’を設けるようにしてもよい。
【０１３８】
本出願の新たなヒンジによる第２の実施例では、電子楽譜装置１が１８０°開いた状態において、ヒンジ２０の第１のセクション２０ａでは、ヒンジ２０の第１の弾性体シート２１と第２の弾性体シート２２とは、実質的に平行である。一方、電子楽譜装置１が１８０°開いた状態において、ヒンジ２０の第２のセクション２０ｂの第３の弾性体シート２３と第３のセクション２０ｃの第４の弾性体シート２４とは、平行でない。
【０１３９】
第２の実施例のように、ヒンジ２０において、第３の弾性体シート２３を有する第２のセクション２０ｂと、第４の弾性体シート２４を有する第３のセクション２０ｃとが交互に配置されることにより、ヒンジ２０の折り曲げに対する耐久性が向上するとの効果が得られる。
【０１４０】
上記の第１および第２の実施例及び図面においては、例示として、電子楽譜装置１が２画面を有する場合について説明したが、これに限らず、ヒンジ２０は、３画面以上を有する電子楽譜装置にも使用することができ、各画面間を上記で述べたヒンジ２０で連結するようにしてもよい。例えば、電子楽譜装置１が３画面を有する場合、各画面間に設けられたヒンジ２０により、電子楽譜装置１を三つ折りにすることも可能である。
【０１４１】
即ち、電子楽譜装置１は、少なくとも第１の表示部、第２の表示部及び第３の表示部と、少なくとも第１の筐体部、第２の筐体部及び第３の筐体部を有し、前記ヒンジは、前記第１の表示部と前記第２の表示部とを接続し、前記第２の表示部と前記第３の表示部とを接続する第１の弾性体シートと、前記第１の筐体部と前記第２の筐体部とを接続し、前記第２の筐体部と前記第３の筐体部とを接続する第２の弾性体シートと、前記第１の弾性体シートと前記第２の弾性体シートの間に設けられたプリント基板とを備えるようにしてもよい。
【０１４２】
また、電子楽譜装置１は、少なくとも第１の表示部、第２の表示部及び第３の表示部と、少なくとも第１の筐体部、第２の筐体部及び第３の筐体部を有し、前記ヒンジは、少なくとも１つ以上の第１のセクションと、少なくとも１つ以上の第２のセクションと、少なくとも１つ以上の第３のセクションとを有し、前記ヒンジの前記第１のセクションは、前記第１の表示部と前記第２の表示部とを接続し、前記第２の表示部と前記第３の表示部を接続する第１の弾性体シートと、前記第１の筐体部と前記第２の筐体部とを接続し、前記第２の筐体部と前記第３の筐体部とを接続する第２の弾性体シートと、前記第１の弾性体シートと前記第２の弾性体シートの間に設けられたプリント基板とを備え、前記ヒンジの前記第２のセクションは、前記第１の表示部と前記第２の筐体部とを接続し、前記第２の表示部と前記第３の筐体部とを接続する第３の弾性体シートを備え、前記ヒンジの前記第３のセクションは、前記第１の筐体部と前記第２の表示部とを接続し、前記第２の筐体部と前記第３の表示部とを接続する第４の弾性体シートを備えるようにしてもよい。
【０１４３】
上記の第１から第３の実施例及び図面においては、ヒンジ２０を画面同士を連結するために用いる場合について説明したが、これに限られない。ヒンジ２０は、画面同士を連結する場合だけでなく、画面とキーボード等を含む電子楽譜装置本体とを連結するために用いてもよい。また、制御部を含む電子楽譜装置本体と、バッテリーを含む蓋部とを連結するために、ヒンジ２０を用いてもよい。
【０１４４】
本発明は上記記載に限らず、本発明の精神と添付の請求の範囲の範囲内で種々の変更および修正をすることができることは当業者に明らかである。
【符号の説明】
【０１４５】
１  電子楽譜装置
４  電源部
５  通信部
６  オーディオ（音声）再生、録音部
７、８  タッチ入力部
１０  制御部
１１  第１の表示部
１１ａ  表示画面
１１ｂ  フレーム
１２  第２の表示部
１２ａ  表示画面
１２ｂ  フレーム
１３  第１の筐体部
１４  第２の筐体部
１６、１７  ページめくり操作部
１６ａ、１７ａ  ページ送り操作部
１６ｂ、１７ｂ  ページ戻し操作部
２０  ヒンジ
２１  第１の弾性体シート
２２  第２の弾性体シート
３０  プリント基板
３２  副制御部
３４  親機
３５  子機
４０  接着部材
４１  端部
５０  空間
６０  空間
【図１Ａ】
2017209201.tif 000003
【図１Ｂ】
2017209201.tif 000004
【図１Ｃ】
2017209201.tif 000005
【図２】
2017209201.tif 000006
【図３】
2017209201.tif 000007
【図４】
2017209201.tif 000008
【図５】
2017209201.tif 000009
【図６】
2017209201.tif 000010
【図７】
2017209201.tif 000011
【図８】
2017209201.tif 000012
【図９】
2017209201.tif 000013
【図１０】
2017209201.tif 000014
【図１１】
2017209201.tif 000015
【図１２】
2017209201.tif 000016
【図１３】
2017209201.tif 000017
【図１４】
2017209201.tif 000018
【図１５】
2017209201.tif 000019
【図１６】
2017209201.tif 000020
【図１７】
2017209201.tif 000021
【図１８】
2017209201.tif 000022
【図１９】
2017209201.tif 000023
【図２０】
2017209201.tif 000024
【図２１】
2017209201.tif 000025
【図２２】
2017209201.tif 000026
【図２３】
2017209201.tif 000027
【図２４】
2017209201.tif 000028
【図２５Ａ】
2017209201.tif 000029
【図２５Ｂ】
2017209201.tif 000030
【図２６Ａ】
2017209201.tif 000031
【図２６Ｂ】
2017209201.tif 000032
【国際調査報告】
2017209201.tif 000033
2017209201.tif 000034